(57)【要約】      （修正有）【課題】信頼性を向上させる充電回路及び移動端末を提供する。【解決手段】充電回路３０において、第一回路３１は、充電インタフェース１０から第一電流を受け、第一電流を変化した大きさ及び／又は方向を有する第二電流に転換するように構成される。磁気結合素子３３は、第一コイル３３１と、第二コイル３３２と、を含む。第一コイル３３１を第一回路３１に接続し、第二コイル３３２を第二回路３２に接続し、充電回路３０の直流（ＤＣ）電流路を切断するように、第一コイル３３１と第二コイル３３２とが互いに離隔される。磁気結合素子３３は、変化した大きさ及び／又は方向を有する第二電流を利用することにより、電磁誘導の仕方で第一コイル３３１から第二コイル３３２までエネルギーを転換し、これによって、第三電流を生成する。【選択図】図２
2019092382.tif 000002
【特許請求の範囲】
【請求項１】
充電方法であって、
第一回路によって、第一電流を受け、前記第一電流を変化した大きさ及び／又は方向を有する第二電流に転換するステップであって、前記第一電流は直流電流であり、
磁気結合素子によって、第三電流を生成するために、変化した大きさ及び／又は方向を有する前記第二電流を利用することにより、電磁誘導の仕方で第一コイルから第二コイルまでエネルギーを転換するステップであって、前記第一回路が故障時に、前記第一回路と前記第二回路とは前記磁気結合素子によって分離され、それにより前記第一電流は前記第二回路に出力されず、
前記第二回路によって、前記第三電流を直流電流に調整するステップと、
を備える、充電方法。
【請求項２】
前記第一回路は、スイッチトランジスタを含み、前記スイッチトランジスタが破壊されるときは、前記第一回路は故障する、請求項１に記載の充電方法。
【請求項３】
前記第三電流を直流電流に調整するステップでは、前記第三電流を、前記第二回路に接続されたバッテリーを充電するのに用いられる第四電流に変換し、
前記第四電流は前記直流電流である、請求項２に記載の充電方法。
【請求項４】
直列に接続された第一回路と、磁気結合素子と、第二回路と、を含む充電回路であって、
前記第一回路は、充電インタフェースから第一電流を受け、前記第一電流を変化した大きさ及び／又は方向を有する第二電流に転換するように構成され、前記第一電流は直流電流であり、
前記磁気結合素子は、第一コイルと、第二コイルとを含み、
前記磁気結合素子は、第三電流を生成するために、変化した大きさ及び／又は方向を有する前記第二電流を利用することにより、電磁誘導の仕方で前記第一コイルから前記第二コイルまでエネルギーを転換するように構成されるとともに、前記第一回路が故障時に、前記第一回路と前記第二回路とを分離するように構成され、それにより前記第一電流は前記第二回路に出力されず、
前記第二回路は、前記第三電流を直流電流に調整するように構成される、充電回路。
【請求項５】
前記第一回路は、スイッチトランジスタを含み、前記スイッチトランジスタが破壊されるときは、前記第一回路は故障する、請求項４に記載の充電回路。
【請求項６】
前記第二回路は、前記第三電流を、前記第二回路に接続されたバッテリーを充電するのに用いられる第四電流に調整するように構成され、前記第四電流は前記直流電流である、請求項４に記載の充電回路。
【請求項７】
前記第一回路は、ハーフブリッジ回路と、前記ハーフブリッジ回路を制御する制御回路と、を含み、
前記ハーフブリッジ回路は、第一スイッチトランジスタと、第二スイッチトランジスタと、を含み、
前記第一スイッチトランジスタは、前記充電インタフェースに接続されるように構成される第一端と、前記第一コイルの第一端に接続される第二端と、前記制御回路に接続される制御端と、を有し、
前記第二スイッチトランジスタは、前記第一スイッチトランジスタの第二端に接続される第一端と、接地されるように構成される第二端と、前記制御回路に接続される制御端と、
を有し、
前記第一コイルは接地されるように構成される第二端を有する、請求項４乃至６のいずれか１項に記載の充電回路。
【請求項８】
前記第一回路は、フルブリッジ回路と、前記フルブリッジ回路を制御する制御回路と、を含み、
前記フルブリッジ回路は、第一スイッチトランジスタと、第二スイッチトランジスタと、第三スイッチトランジスタと、第四スイッチトランジスタと、を含み、
前記第一スイッチトランジスタは、前記充電インタフェースに接続されるように構成される第一端と、前記第一コイルの第二端に接続される第二端と、前記制御回路に接続される制御端と、を有し、
前記第二スイッチトランジスタは、前記第一スイッチトランジスタの第二端に接続される第一端と、接地されるように構成される第二端と、前記制御回路に接続される制御端と、
を有し、
前記第三スイッチトランジスタは、前記充電インタフェースに接続されるように構成される第一端と、前記第一コイルの第一端に接続される第二端と、前記制御回路に接続される制御端と、を有し、
前記第四スイッチトランジスタは、前記第三スイッチトランジスタの第二端に接続される第一端と、接地されるように構成される第二端と、前記制御回路に接続される制御端と、
を有する、請求項４乃至６のいずれか１項に記載の充電回路。
【請求項９】
前記第一回路は、１つのスイッチトランジスタと、前記スイッチトランジスタを制御する制御回路と、を含み、
前記スイッチトランジスタは、前記充電インタフェースに接続されるように構成される第一端と、前記第一コイルの第一端に接続される第二端と、前記制御回路に接続される制御端と、を含み、
前記第一コイルは、接地されるように構成される第二端と、を有する、請求項７又は８に記載の充電回路。
【請求項１０】
前記第一回路における少なくとも１つのスイッチトランジスタは、金属酸化物半導体電界効果トランジスタ（ＭＯＳＦＥＴ）である、請求項７乃至９のいずれか１項に記載の充電回路。
【請求項１１】
前記第二回路は、整流回路とフィルタ回路とを含む、請求項４乃至１０のいずれか１項に記載の充電回路。
【請求項１２】
移動端末は、充電インタフェースと、バッテリーと、請求項４乃至１１のいずれか１項に記載の充電回路と、を含み、
前記充電回路は、前記充電インタフェースと前記バッテリーの間に配置される、移動端末。
【請求項１３】
前記充電インタフェースはＵＳＢインタフェースである、請求項１２に記載の移動端末。
【請求項１４】
前記バッテリーはリチウムバッテリーである、請求項１２または１３に記載の移動端末。
【請求項１５】
前記移動端末は、通常充電モード及び急速充電モードをサポートし、前記急速充電モードにおける充電電流は前記通常充電モードにおける充電電流より大きい、請求項１２乃至１４のいずれか１項に記載の移動端末。
【発明の詳細な説明】
【技術分野】
【０００１】
本願は、移動端末の分野に関し、特に充電回路及び移動端末に関する。
【背景技術】
【０００２】
移動端末の普及に伴い、充電回路は移動端末事業者の注目される課題になった。
【０００３】
図１は、従来技術において移動端末で用いる充電回路が示される回路図である。この充電回路は、ＭＯＳトランジスタと、制御回路と、ダイオードと、インダクタと、バッテリーと、を含むＢＵＣＫ回路として称される。充電時、変化する方形波電流を生成するために制御回路はＭＯＳトランジスタをターンオン／ターンオフに制御する。方形波電流は、ＭＯＳトランジスタからインダクタに流れ、それから、インダクタにより電圧安定化が行われた後でバッテリーに流れる。
【０００４】
上述の充電プロセスはＭＯＳトランジスタの破壊のリストを有する。ＭＯＳトランジスタの破壊の時、電流はインダクタ、電流／電圧検査回路、バッテリーに直接に流れる。これは、バッテリーが制限電圧を超えることを引き起こし、より重大な結果につながってもよい。
【０００５】
ＭＯＳトランジスタへのダメージの原因は次のとおりである。
【０００６】
ＭＯＳトランジスタは誤通電される。ＭＯＳトランジスタの両端における電圧は耐えうる最大電圧を超える。静電破壊またはサージである。
【０００７】
質の悪いＭＯＳトランジスタである。または統合された製造技術の問題がある。
【０００８】
他の欠陥を有することができる。
【０００９】
以上の問題を回避し、ＭＯＳトランジスタの依頼性を向上させるために、ＭＯＳトランジスタのオン抵抗（ＲＤＳＯＮ）の値を増加させ、これによって、ＭＯＳトランジスタの電圧抵抗を向上させる。一方、高抵抗は順に、充電回路が容易に発熱することと低いエネルギー伝達効率などを引き起こす。
【発明の概要】
【００１０】
本発明は、移動端末における充電回路の依頼性を向上させる目的で、充電回路及び移動端末を提供する。
【００１１】
本発明の第一態様によれば、充電回路が提供される。充電インタフェースと移動端末のバッテリー（電池）の間に配置される充電回路は、第一回路と、磁気結合素子と、第二回路と、を含む。該第一回路、該磁気結合素子、及び該第二回路は、順次に充電インタフェースとバッテリーの間に直列に接続されている。第一回路は、充電インタフェースから第一電流を受け、第一電流を変化した大きさ及び／又は方向を有する第二電流に転換するように構成される。磁気結合素子は、第一コイルと、第二コイルと、を含む。第一コイルを第一回路に接続し、第二コイルを第二回路に接続し、充電回路の直流（ＤＣ）電流路を切断するように、第一コイルと第二コイルとが互いに離隔される。磁気結合素子は、変化した大きさ及び／又は方向を有する第二電流を利用することにより、電磁誘導の仕方で第一コイルから第二コイルまでエネルギーを転換し、これによって、第三電流を生成する。第二電流は、第三電流を、バッテリーを充電するためにバッテリー充電に適している第四電流に調整するように構成される。
【００１２】
第一態様に基づいて、一実施形態において、第一回路は、ハーフブリッジ回路と、ハーフブリッジ回路を制御する制御回路とを含む。ハーフブリッジ回路は、第一スイッチトランジスタと、第二スイッチトランジスタと、を含む。第一スイッチトランジスタの第一端を充電インタフェースに接続し、第一スイッチトランジスタの第二端を第一コイルの第一端に接続し、また、第一スイッチトランジスタの制御端を制御回路に接続する。第二スイッチトランジスタの第一端を第一スイッチトランジスタの第二端に接続し、第二スイッチトランジスタの第二端を接地し、第二スイッチトランジスタの制御端を制御回路に接続する。第一コイルの第二端を接地する。
【００１３】
第一態様またはいずれか上記の実施形態に基づいて、別の実施形態において、第一回路は、フルブリッジ回路と、フルブリッジ回路を制御する制御回路とを含む。フルブリッジ回路は、第一スイッチトランジスタと、第二スイッチトランジスタと、第三スイッチトランジスタと、第四スイッチトランジスタと、を含む。第一スイッチトランジスタの第一端を充電インタフェースに接続し、第一スイッチトランジスタの第二端を第一コイルの第二端に接続し、また、第一スイッチトランジスタの制御端を制御回路に接続する。第二スイッチトランジスタの第一端を第一スイッチトランジスタの第二端に接続し、第二スイッチトランジスタの第二端を接地し、第二スイッチトランジスタの制御端を制御回路に接続する。第三スイッチトランジスタの第一端を充電インタフェースに接続し、第三スイッチトランジスタの第二端を第一コイルの第一端に接続し、また、第三スイッチトランジスタの制御端を制御回路に接続する。第四スイッチトランジスタの第一端を第三スイッチトランジスタの第二端に接続し、第四スイッチトランジスタの第二端を接地し、第四スイッチトランジスタの制御端を制御回路に接続する。
【００１４】
第一態様またはいずれか上記の実施形態に基づいて、別の実施形態において、は、第一回路は、スイッチトランジスタと、スイッチトランジスタを制御する制御回路と、を含む。スイッチトランジスタの第一端を充電インタフェースに接続し、スイッチトランジスタの第二端を第一コイルの第一端に接続し、スイッチトランジスタの制御端を制御回路に接続する。第一コイルの第二端を接地する。
【００１５】
第一態様またはいずれか上記の実施形態に基づいて、別の実施形態において、は、第一回路におけるスイッチトランジスタは金属酸化物半導体電界效果トランジスタ（ＭＯＳＦＥＴ）である。
【００１６】
第一態様またはいずれか上記の実施形態に基づいて、別の実施形態において、第二回路は、整流回路とフィルタ回路とを含む。
【００１７】
本発明の第二態様によれば、移動端末が提供される。移動端末は、充電インタフェースと、バッテリーと、第一態様または如何なる第一態様の実施形態に従う充電回路と、を含む。充電回路は、充電インタフェースとバッテリーの間に配置される。
【００１８】
第二様態に基づいて、一実施形態において、充電インタフェースはＵＳＢインタフェースである。
【００１９】
第二様態またはいずれか上記の実施形態に基づいて、一実施形態において、バッテリーはリチウムバッテリーである。
【００２０】
第二態様またはいずれか上記の実施形態に基づいて、一実施形態において、移動端末は通常充電モード及び急速充電モードをサポートし、該急速充電モードにおける充電電流は該通常充電モードにおける充電電流より大きい。
【００２１】
上述の技術スキームにおいて、充電回路のＤＣ電流路は磁気結合素子により分離される。すなわち、充電回路においてＤＣ電流路を有しない。第一回路が故障時、充電インタフェースからのＤＣ電流は第二回路及びバッテリーに直接に出力せず、これによって、充電回路の信頼性を向上させる。
【図面の簡単な説明】
【００２２】
本発明または従来技術における技術方案をより明確に説明するため、本明細書で用いられる添付図面の簡単な説明を以下に示される。明らかに、以下に示された図面は本発明のいくつかの実施例に過ぎず、当業者は、創造的労働を経ずにこれらの図面を基に他の図面を得られることに留意すべきである。
【図１】従来技術における充電回路を示す回路図である。
【図２】本発明の実施形態に係る充電回路を示す概略構成図である。
【図３】本発明の実施形態に係る充電回路を示す回路図である。
【図４】本発明の実施形態に係る充電回路を示す回路図である。
【図５】本発明の実施形態に係る移動端末を示す概略構成図である。
【発明を実施するための形態】
【００２３】
本発明の実施例における添付図面を用いて、本発明の実施形態における技術方案を明確且つ完全に説明する。当業者にとって、以下に説明した実施形態は本発明の一部の実施形態に過ぎず、創造的労働を経ずに得られる他の実施形態は、いずれも本発明の保護範囲に属することは明らかである。
【００２４】
図２は、本発明の実施形態に係る充電回路を示す概略構成図である。図２に示されるように、充電回路３０は充電インタフェース１０と端末のバッテリー２０の間に配置される。充電回路３０は、第一回路３１と、磁気結合素子３３と、第二回路３２と、を含む。該第一回路３１、該磁気性結合素子３３、及び該第二回路３２は、順次に充電インタフェース１０とバッテリー２０の間に直列に接続されている。
【００２５】
第一回路３１は、充電インタフェース１０から第一電流を受け、第一電流を変化した大きさ及び／又は方向を有する第二電流に転換するように構成される。
【００２６】
磁気結合素子３３は、第一コイル３３１と、第二コイル３３２と、を含む。第一コイル３３１を第一回路３１に接続し（すなわち、第一回路３１に結合する）、第二コイル３３２を第二回路３２に接続し、充電回路３０の直流（ＤＣ）電流路を切断するように、第一コイル３３１と第二コイル３３２とが互いに離隔される。磁気結合素子３３は、変化した大きさ及び／又は方向を有する第二電流を利用することにより、電磁誘導の仕方で第一コイル３３１から第二コイル３３２までエネルギーを転換し、これによって、第三電流を生成する（すなわち、第三電流は、第二コイル３３２において生成され、第二回路３２に出力される。）
【００２７】
第二回路３２は、第一回路３１により磁気性結合素子３３を通して第二回路３２に結合される交流（ＡＣ）をバッテリー充電に適しているＤＣに調整するように構成される。
【００２８】
この技術スキームにおいて、充電回路のＤＣ電流路は磁気結合素子により分離される。すなわち、充電回路においてＤＣ電流路を有しない。第一回路が故障時、充電インタフェースからのＤＣ電流は第二回路及びバッテリーに直接に出力せず、これによって、充電回路の信頼性を向上させる。
【００２９】
一実施形態のように、図３に示されるように、第一回路３１は、ハーフブリッジ回路３１２と、ハーフブリッジ回路を制御する制御回路３１１とを含む。ハーフブリッジ回路３１２は、第一スイッチトランジスタＴ１と、第二スイッチトランジスタＴ２と、を含む。第一スイッチトランジスタＴ１の第一端を充電インタフェース１０に接続し、第一スイッチトランジスタＴ１の第二端を第一コイル３３１の第一端に接続し、また、第一スイッチトランジスタＴ１の制御端を制御回路３１１に接続する。第二スイッチトランジスタＴ２の第一端を第一スイッチトランジスタＴ１の第二端に接続し、第二スイッチトランジスタＴ２の第二端を接地し、第二スイッチトランジスタＴ２の制御端を制御回路３１１に接続する。第一コイル３３１の第二端を接地する。さらに、第二コイル３３２の両端を、それぞれに第二回路３２及びグランドに接続することができる。また、第二回路３２は接地され得る。
【００３０】
本発明の実施形態において、容易に破壊するスイッチトランジスタ（ＭＯＳトランジスタのような）は第一回路内に配置される。スイッチトランジスタの破壊が生じる場合、第一回路はスイッチトランジスタを介してＤＣをＡＣに転換することができない。これにより、充電インタフェースにおけるＤＣ入力は充電インタフェースの後続のコンポーネント又はバッテリーに直接に与えられる。しかし、第一回路と第二回路の間に配置された磁気結合素子により、充電回路のＤＣ電流路を切断することができる。すなわち、第一回路におけるスイッチトランジスタは破壊され、又は故障された場合であっても充電インタフェースにおけるＤＣ入力を第二回路に流すことができず、これによって、移動端末の充電回路の信頼性を向上させることができる。
【００３１】
また、磁気結合素子はよいアイソレーション性能を有する。したがって、従来技術のように、ＭＯＳトランジスタの耐圧を増大させ、その後回路の信頼性を向上させるために、オン抵抗を増加させる代わりに、本発明の実施形態において、第一回路におけるスイッチトランジスタのより低いオン抵抗が可能となり、これは、発熱及び損失を減らすと同時に、すべての充電回路のエネルギー移動効率を向上させる。
【００３２】
一実施形態のように、第一回路は、フルブリッジ回路３１３と、フルブリッジ回路を制御する制御回路３１１とを含む。フルブリッジ回路３１３は、第一スイッチトランジスタＴ１と、第二スイッチトランジスタＴ２と、第三スイッチトランジスタＴ３と、第四スイッチトランジスタＴ４と、を含む。第一スイッチトランジスタＴ１の第一端を充電インタフェース１０に接続し、第一スイッチトランジスタＴ１の第二端を第一コイル３３１の第二端に接続し、また、第一スイッチトランジスタＴ１の制御端を制御回路３１１に接続する。第二スイッチトランジスタＴ２の第一端を第一スイッチトランジスタＴ１の第二端に接続し、第二スイッチトランジスタＴ２の第二端を接地し、第二スイッチトランジスタＴ２の制御端を制御回路３１１に接続する。第三スイッチトランジスタＴ３の第一端を充電インタフェース１０に接続し、第三スイッチトランジスタＴ３の第二端を第一コイル３３１の第一端に接続し、また、第三スイッチトランジスタＴ３の制御端を制御回路３１１に接続する。第四スイッチトランジスタＴ４の第一端を第三スイッチトランジスタＴ３の第二端に接続し、第四スイッチトランジスタＴ４の第二端を接地し、第四スイッチトランジスタＴ４の制御端を制御回路３１１に接続する。さらに、第二コイル３３２の両端を第二回路３２に接続することができ、第二回路は接地され得る。
【００３３】
本発明の実施形態において、容易に破壊するスイッチトランジスタ（ＭＯＳトランジスタのような）は第一回路内に配置される。スイッチトランジスタの破壊が生じる場合、第一回路はスイッチトランジスタを介してＤＣをＡＣに転換することができない。これにより、充電インタフェースにおけるＤＣ入力は充電インタフェースの後続のコンポーネント又はバッテリーに直接に与えられる。しかし、第一回路と第二回路の間に配置された磁気結合素子により、充電回路のＤＣ電流路を切断することができる。すなわち、第一回路におけるスイッチトランジスタは破壊され、又は故障された場合であっても充電インタフェースにおけるＤＣ入力を第二回路に流すことができず、これによって、移動端末の充電回路の信頼性を向上させることができる。
【００３４】
また、磁気結合素子はよいアイソレーション性能を有する。したがって、従来技術のように、ＭＯＳトランジスタの耐圧を増大させ、その後回路の信頼性を向上させるために、オン抵抗を増加させる代わりに、本発明の実施形態において、第一回路におけるスイッチトランジスタのより低いオン抵抗が可能となり、これは、発熱及び損失を減らすと同時に、すべての充電回路のエネルギー移動効率を向上させる。
【００３５】
一実施形態のように、第一回路３１は、スイッチトランジスタと、スイッチトランジスタを制御する制御回路と、を含む。スイッチトランジスタの第一端を充電インタフェースに接続し、スイッチトランジスタの第二端を第一コイル３１１の第一端に接続し、また、スイッチトランジスタの制御端を制御回路に接続する。第一コイルの第二端を接地する。
【００３６】
本発明の実施形態の技術スキームは従来技術への僅かな改造によって充電回路の信頼性を向上させることができる。
【００３７】
一実施形態のように、第一回路におけるスイッチトランジスタは、金属酸化物半導体電界效果トランジスタ（ＭＯＳＦＥＴ）を含む。
【００３８】
一実施形態のように、第二回路は、整流回路とフィルタ回路とを含む。
【００３９】
図５は、本発明の実施形態に係る移動端末を示す概略構成図である。図５に示されるように、移動端末５０は、充電インタフェース５１と、バッテリー５２と、充電回路５３と、を含む。充電回路５３は、いずれか上述の充電回路３０の実施態様を採用することができる。
【００４０】
上述の技術スキームにおいて、充電回路のＤＣ電流路は磁気結合素子により分離される。すなわち、充電回路においてＤＣ電流路を有しない。第一回路が故障時、充電インタフェースからのＤＣ電流は第二回路及びバッテリーに直接に出力せず、これによって、充電回路の信頼性を向上させる。
【００４１】
一実施形態のように、充電インタフェース５１はＵＳＢインタフェースである。
【００４２】
一実施形態のように、バッテリー２０はリチウムバッテリーである。
【００４３】
一実施形態のように、移動端末５０は通常充電モード及び急速充電モードをサポートし、該急速充電モードにおける充電電流は該通常充電モードにおける充電電流より大きい。
【００４４】
ＭＯＳトランジスタの破壊の現象は、急速充電をサポートする移動端末において特に重大であることが理解されるべきである。急速充電の時、ＭＯＳトランジスタの破壊により生じる回路の信頼性の欠如の問題に対して、本発明の実施形態に従う移動端末は良い解決方法となり得る。
【００４５】
いずれか実施形態で示される例示のユニットまたは例示のアルゴリズム工程が、電子的ハードウェア又は電子的ハードウェアとコンピュータ・ソフトウェアの組み合わせを介して達成されえることを、当業者は理解するであろう。ハードウェアかソフトウェアかが、技術スキームの特定応用及び設計制約に依存して採用されるべきである。特定応用のそれぞれは、本発明の実施形態で示される機能を達成するために異なる方法または仕方を用いられ得、これが本発明の保護範囲に属するものである。
【００４６】
デバイス、システム、ユニット又はモジュールは、本発明の実施形態に従う方法に対応する説明を参照することができ、本明細書で詳細に説明しない。
【００４７】
本発明の実施形態で示されるデバイス、システム、方法は、他の仕方により達成され得る。上述の実施形態に従うデバイスの構成は、本発明の例示のみである。デバイスにおけるユニットの分割は、論理機能に従う分割の一種であるため、実際に他の分割は存在する可能性がある。例えば、複数のユニットまたはコンポーネントは別のシステムに組み合わせされ得、または統合され得る。又は、いくつかの特徴は無視され得るが、いくつかのユニットは実行されない必要がある。一方、示され、若しくは議論された相互結合または直接結合または通信接続は、インタフェースを介することができ、デバイスまたはユニットの間接結合または通信接続は、電気的、機械的、または他の形となり得る。
【００４８】
上述の分割のコンポーネントとして説明されるユニットを物理的に分離しても分離しなくてもよい。ユニットとして示されるコンポーネントは物理的なユニットとしてもよい、又はそのコンポーネントは物理的なユニットとしなくてもよい。すなわち、一つの場所にあり、または複数のネットユニットで分布させる。本発明の実施形態を実現するために実際の必要によってそれらの部分のユニットまたはすべてのユニットを選択することができる。
【００４９】
さらに、様々な機能ユニットは一つの処理ユニットに統合され得る。二つ以上のユニットは一つのユニットに統合され得る。又は、ユニットのそれぞれを物理的に分離する。
【００５０】
本発明の開示した実施形態に従う技術スキームの作業または機能は、ソフトウェア機能ユニットの形および販売の形により達成され、または独立の商品として用いられる場合、コンピュータ可読記憶媒体で格納することができる。これによれば、本発明の技術スキームのすべてまたは部分は、記憶媒体で格納することができるソフトウェア商品の形で実現することができる。記憶媒体は、ＵＳＢディスクと、リードオンリーメモリ（ＲＯＭ）と、ランダムアクセスメモリ（ＲＡＭ）と、磁気ディスクと、ＣＤと、コンピュータ可読プログラムコード又はコンピュータ可読プログラム命令を格納するように構成され得る他の如何なる媒体と、を含む。コンピュータ可読プログラムコードは、データ処理装置（パソコン、サーバー又はネットワーク装置とすることができる）において実行される場合、上述した実施形態に記載された方法のすべてまたは部分を実行するように適合される。
【００５１】
上述の説明は、本発明の好ましい実施形態のみであるが、本発明を限定するものではない。本発明のために当業者が複数の変更及び変形を行ってもよい。本発明の思想を逸脱しないことを前提とする場合、当業者が如何なる変更、同等置換、改良等を実施しても、本発明の保護範囲に属するものであると理解されるべきである。
【図１】
2019092382.tif 000003
【図２】
2019092382.tif 000004
【図３】
2019092382.tif 000005
【図４】
2019092382.tif 000006
【図５】
2019092382.tif 000007